(57)【特許請求の範囲】
【請求項１】
（イ）  身体支持装置品（１１）の向き合うフレーム（１２ａ）とフレーム（１２ｂ）の間に複数枚の弾性布帛（２１・２２）が所要の厚みの空気層（２３）を間に挟んで重ねて張設されており、
（ロ）  その最表面の表層弾性布帛（２１）と、それに続く下層弾性布帛（２２）の間の空気層（２３）に、表層弾性布帛（２１）と下層弾性布帛（２２）の間の距離（Ｇ）よりも厚み（Ｈ）の厚いクッションパッド（２４）が圧縮されて挿填されており、
（ハ）  クッションパッド（２４）を裁断して採取した一辺２０ｃｍの矩形の試験片の対角線上の角部に吊下用糸を縫い付け、その試験片を重量（Ａ）を測定して水中に浸漬し、試験片内部の空気を排除して水中より引き上げ、水中より引き上げてから１分以内に吊下用糸をハンガーに引っ掛けて試験片を吊り下げ、水中より引き上げて６０分経過した時点での試験片の重量（Ｂ）を測定し、その浸漬後の重量（Ｂ）と浸漬前の重量（Ａ）の差（Ｂ−Ａ＝Ｃ）を浸漬前の重量（Ａ）で除して示されるクッションパッドの保水率（ρ＝１００×Ｃ／Ａ）が２００％以下であり、
（ニ）  クッションパッド（２４）を裁断して採取した直径１０ｃｍの円形の試験片を水平なテーブル面に載置し、その試験片の上に直径１０ｃｍの円板を重ね合わせ、その試験片を５０％圧縮して水平に３０分間保ち、除重して水平に１０分間保ち、その除重して１０分間経過した時点での試験片の厚み（Ｑ）を５０％圧縮前の試験片の厚み（Ｐ）で除して示されるクッションパッドの圧縮弾性回復率（ε＝１００×Ｑ／Ｐ）が９０％以上であり、
（ホ）  クッションパッド（２４）を裁断して採取した直径１０ｃｍの円形の試験片に、直径１０ｃｍの円形押圧面を有する荷重測定装置のヘッドを当てて試験片を５０％圧縮したときの押圧力が０．０３〜０．７０Ｎ／ｃｍ2 であり、
（ヘ）  張設するフレーム（１２ａ）とフレーム（１２ｂ）の向き合う方向における表層弾性布帛（２１）と下層弾性布帛（２２）の１０％伸長時の伸長応力が１５〜６００Ｎ／５ｃｍであり、
（ト）  下層弾性布帛（２２）が表層弾性布帛（２１）よりも強く緊張して張設されている弾性身体支持装置品。
【請求項２】
（チ）  クッションパッド（２４）が繊度１００ｄｔｅｘ以上の弾性線条（２５）が絡み合って通気度（ＪＩＳ−Ｌ−１０９６Ａ法）１００ｃｃ／ｃｍ2 ・ｓｅｃ以上の立体網状構造物を主材として構成しており、
（リ）  その立体網状構造物の保水率が５０％以下であり、
（ヌ）  その立体網状構造物を含むクッションパッド全体（２４）の保水率が１００％以下である前掲請求項１に記載の弾性身体支持装置品。
【請求項３】
（オ）  表層弾性布帛（２１）と下層弾性布帛（２２）とクッションパッド（２４）の素材がポリエステル系ポリマーである前掲請求項１と２の何れかに記載の弾性身体支持装置品。
【請求項４】
（ワ）  弾性布帛（２１・２２）を張設するフレーム（１２）の断面における左右両端部にフレーム１２の長さ方向に続く蟻溝（１３ａ・１３ｂ）が設けられており、
（カ）  表層弾性布帛（２１）が、その端縁（１５）を、向き合うフレーム（１２）の外側の蟻溝（１３ａ）に差し込まれて係止され、フレーム（１２）の上面を囲撓して向き合うフレーム間（１２ａ・１２ｂ）に張設されており、
（ヨ）  下層弾性布帛（２２）は、その端縁（１６）を向き合うフレーム（１２）の内側の蟻溝（１３ｂ）に差し込まれて係止され、向き合うフレーム間（１２ａ・１２ｂ）に張設されている前掲請求項１と２と３の何れかに記載の弾性身体支持装置品。
【発明の詳細な説明】
【技術分野】
【０００１】
本発明は、座椅子、椅子、腰掛け、背凭れ、脚載せ、座席、ソファー、ベッド等の身体を支えるために屋内、屋外、車内等で使用される身体支持装置品の向き合うフレームとフレームの間に弾性布帛を張設して身体を弾力的に支える腰掛け面や背凭れ面等のクッション面を構成した弾性身体支持装置品に関するものである。
【背景技術】
【０００２】
向き合うフレームとフレームの間に複数枚の弾性布帛を所要の厚みの空気層を間に設けて重ねて張設した身体支持装置品は公知である（例えば、特許文献１参照）。
【０００３】
弾性布帛を硬質面材の上に張設する場合、体圧を受けて弾性布帛が深く沈み込んでも硬質面材に強く衝き当たることがないように、弾性布帛と硬質面材の間にクッション材を挿填した身体支持装置品も公知である（例えば、特許文献１参照）。
【０００４】
発泡ラバー、発泡ポリウレタン等の無数の気泡セルを囲む樹脂セル壁によって構成された樹脂発泡体、繊度３０ｄｔｅｘ以下の合成繊維を堆積した繊維積層ウェブ（例えば、特許文献２参照）、樹脂ポリマー製樹脂線条が絡み合った立体網状構造物（例えば、特許文献３参照）、表裏の経編地を連結糸で連結し、その表裏の経編地の間に連結糸が林立した空気層を形成したダブルラッシェル立体編地（例えば、特許文献４参照）は、クッション材として公知である。
【０００５】
【特許文献１】特開２００３−１８９９８１号公報
【特許文献２】特許第３６１０４０５号公報（特開平０９−１７３６７２）
【特許文献３】特許第３６６７８８１号公報（特開平０９−３１３４３０）
【特許文献４】特許第３４７２７３２号公報（特開２００１−０８９９５９）
【発明の開示】
【発明が解決しようとする課題】
【０００６】
弓の弦が矢筈からの集中応力を受けてＶ字状に撓み、そのＶ字状に撓んだ弦に矢筈が挟み込まれるように、弾性身体支持装置品のクッション面に張設された弾性布帛に載せて弾性布帛と共に沈み込む身体の被戴承部は、弾性布帛からの反力を受けると共に、弾性布帛に生じる窪みの周囲から挟み込まれるように圧迫される。
臀部のように窪んだ被戴承部では、その窪んだ被戴承部には弾性布帛に接しないので反力は作用せず、その窪んだ被戴承部の周囲に弾性布帛からの反力が集中し、而も、その周囲には窪んだ被戴承部に作用しない分だけ強い反力が作用する。
【０００７】
複数枚の弾性布帛を所要の厚みの空気層を間に設けて重ねて張設した身体支持装置品（例えば、特許文献１参照）では、体重に応じて弾性布帛から受ける反力が増減し、体重が軽ければ受ける反力が少なく、クッション面が柔らかく感じられるとしても、身体の被戴承部が触れるのは表層の弾性布帛だけであるから、複数枚の弾性布帛が重ねて張設されていても、窪んだ被戴承部では、その周囲に弾性布帛からの強い反力が集中して作用することには変りがなく、身体から伝わる体圧は弾性布帛に均等に分散され難い。
【０００８】
弾性布帛と硬質面材の間にクッション材を挿填した身体支持装置品（例えば、特許文献１参照）では、弾性布帛が大きく沈み込んで硬質面材に衝き当たる危険は避けられるものの、弾性布帛と硬質面材の間の空気層が薄い場合には、クッション材は衝突緩和に用をなさず、弾性布帛と硬質面材の間の空気層が厚い場合には、硬質面材に衝き当たる危険はないのでクッション材を挿填する意味がなく、硬質面材はクッション材の支持部材としての用をなすだけであり、弾性布帛には無関係の部材となる。
【０００９】
そこで本発明は、身体の被戴承部に押圧される弾性布帛が、弦が矢筈からの集中応力を受けてＶ字状に撓むようには窪むことなく、身体の被戴承部の起伏に応じて起伏変形し、身体の被戴承部からの体圧が弾性布帛に均等に分散し、弾性布帛からの反力が身体に集中して強く作用することがないようにすることを第１の目的とする。
本発明の第２の目的は、身体の被戴承部をフレームの間に張設された弾性布帛に載せた際に、硬質面材の上に載せたかのような衝突感を受けないようにすることにある。
本発明の第３の目的は、フレームの間に張設された弾性布帛からの集中反力や弾性布帛から受ける衝突感を緩和するために、弾性布帛の機能を損なうことなくクッション材を弾性身体支持装置品のクッション面に効果的に使用することにある。
本発明の第４の目的は、機能的に優れ、又、デザイン的にもシンプルで使用し易い弾性身体支持装置品を得ることにある。
本発明のその他の目的は、リサイクルし易い弾性身体支持装置品を得ることにある。
【課題を解決するための手段】
【００１０】
本発明に係る弾性身体支持装置品は、（イ）  身体支持装置品１１の向き合うフレーム１２ａとフレーム１２ｂの間に複数枚の弾性布帛２１・２２が所要の厚みの空気層２３を間に挟んで重ねて張設されており、
（ロ）  その最表面の表層弾性布帛２１と、それに続く下層弾性布帛２２の間の空気層２３に、表層弾性布帛２１と下層弾性布帛２２の間の距離Ｇ、つまり空気層２３の厚みＧよりも厚みＨの厚いクッションパッド２４が圧縮されて挿填されており、
（ハ）  クッションパッド２４を裁断して採取した一辺２０ｃｍの矩形の試験片の対角線上の角部に吊下用糸を縫い付け、その試験片を重量（Ａ）を測定して水中に浸漬し、試験片内部の空気を排除して水中より引き上げ、水中より引き上げてから１分以内に吊下用糸をハンガーに引っ掛けて試験片を吊り下げ、水中より引き上げて６０分経過した時点での試験片の重量（Ｂ）を測定し、その浸漬後の重量（Ｂ）と浸漬前の重量（Ａ）の差（Ｂ−Ａ＝Ｃ）を浸漬前の重量（Ａ）で除して示されるクッションパッドの保水率（ρ＝１００×Ｃ／Ａ）が２００％以下であり、
（ニ）  クッションパッド２４を裁断して採取した直径１０ｃｍの円形の試験片を水平なテーブル面に載置し、その試験片の上に直径１０ｃｍの円板を重ね合わせ、その試験片を５０％圧縮して水平に３０分間保ち、除重して水平に１０分間保ち、その除重して１０分間経過した時点での試験片の厚み（Ｑ）を５０％圧縮前の試験片の厚み（Ｐ）で除して示されるクッションパッドの圧縮弾性回復率（ε＝１００×Ｑ／Ｐ）が９０％以上であり、
（ホ）  クッションパッド２４を裁断して採取した直径１０ｃｍの円形の試験片に、直径１０ｃｍの円形押圧面を有する荷重測定装置のヘッドを当てて試験片を５０％圧縮したときの押圧力が０．０３〜０．７０Ｎ／ｃｍ2 であり、
（ヘ）  張設するフレーム１２ａとフレーム１２ｂの向き合う方向における表層弾性布帛２１と下層弾性布帛２２の１０％伸長時の伸長応力が１５〜６００Ｎ／５ｃｍであり、
（ト）  下層弾性布帛２２が表層弾性布帛２１よりも強く緊張して張設されていることを第１の特徴とする。
【００１１】
本発明に係る弾性身体支持装置品の第２の特徴は、上記第１の特徴に加えて、（チ）
クッションパッド２４が繊度１００ｄｔｅｘ以上の弾性線条２５が絡み合って通気度（ＪＩＳ−Ｌ−１０９６Ａ法）１００ｃｃ／ｃｍ2 ・ｓｅｃ以上の立体網状構造物を主材として構成しており、
（リ）  その立体網状構造物の保水率が５０％以下であり、
（ヌ）  その立体網状構造物を含むクッションパッド全体２４の保水率が１００％以下である点にある。
【００１２】
本発明に係る弾性身体支持装置品の第３の特徴は、上記第１、第２の何れかの特徴に加えて、（オ）  表層弾性布帛２１と下層弾性布帛２２とクッションパッド２４の素材がポリエステル系ポリマーである点にある。
【００１３】
本発明に係る弾性身体支持装置品の第４の特徴は、上記第１、第２、第３の何れかの特徴に加えて、（ワ）  弾性布帛２１・２２を張設するフレーム１２の断面における左右両端部にフレーム１２の長さ方向に続く蟻溝１３ａ・１３ｂが設けられており、
（カ）  表層弾性布帛２１が、その端縁１５を、向き合うフレーム１２の外側の蟻溝１３ａに差し込まれて係止され、フレーム１２の上面を囲撓して向き合うフレーム間１２ａ・１２ｂに張設されており、
（ヨ）  下層弾性布帛２２は、その端縁１６を向き合うフレーム１２の内側の蟻溝１３ｂに差し込まれて係止され、向き合うフレーム間１２ａ・１２ｂに張設されている点にある。
【発明の効果】
【００１４】
本発明においては、表層弾性布帛２１が下層弾性布帛２２に比して弛緩していても、その表層弾性布帛２１と下層弾性布帛２２の間の空気層２３に、その層厚Ｇよりも厚みＨのクッションパッド２４が圧縮されて挿填されているので、長期使用において表層弾性布帛２１が更に弛緩しても、クッションパッド２４からの押圧力を受けて脹れ上がるので、表層弾性布帛２１に弛み皺が発生することがない。
【００１５】
表層弾性布帛２１が下層弾性布帛２２に比して弛緩しており、クッションパッド２４を介して下層弾性布帛２２に弾性的に押し上げられた状態にあるので、身体の被戴承部からの体圧が作用するときは、恰もクッションパッドの表皮を成すように表層弾性布帛２１が窪み、更に体圧が強く作用して表層弾性布帛２１が窪むと、表層弾性布帛２１に生じる張力が作用して身体の被戴承部が支えられ、更に体圧が強く作用して表層弾性布帛２１が窪むと、クッションパッド２４を介して下層弾性布帛２２に生じる張力が作用して表層弾性布帛２１の沈み込み量が一定範囲に抑えられ、身体が安定に支えられる。
【００１６】
このように身体支持装置品１１のクッション面１８に身体の被戴承部を載せたとき、表層弾性布帛２１からの張力が直ちに身体に伝わらず、クッションパッド２４からの圧縮弾性反力が作用するので、その載せた瞬時にクッション面１８から身体の被戴承部が受ける衝突感が和らぐ。
そのように身体の被戴承部を載せて生じるクッション面１８から受ける反力が徐々に強く感じるので、使用開始時にクッション面１８に載せて最初に受ける感触が柔らかく、長時間の使用において表層弾性布帛２１と下層弾性布帛２２によって二重に弾性的に支えられるので、心地のよい弾性身体支持装置品１１が得られる。
【００１７】
体圧が強く作用して表層弾性布帛２１が窪み、次いで、クッションパッド２４が窪んでから下層弾性布帛２２が窪んで張力が生じるようにするためには、クッションパッド２４の５０％圧縮時の押圧力は弱いほうがよい。
とは言え、表層弾性布帛２１がクッションパッド２４に押し上げられて脹れ上がり、身体の被戴承部の起伏に応じて変形するようにするためには、クッションパッド２４の５０％圧縮時の押圧力は強いほうがよい。
これらの点を考慮し、５０％圧縮時の押圧力が０．０４〜０．４０Ｎ／ｃｍ2 になるように、好ましくは０．０６〜０．３０Ｎ／ｃｍ2 になるようにクッションパッド２４を設計することが望ましい。
【００１８】
表層弾性布帛２１が下層弾性布帛２２に比して弛緩しており、圧縮されて弾性回復力を貯えたクッションパッド２４からの圧縮弾性反力が表層弾性布帛２１に絶えず作用しているので、起伏のある身体の被戴承部からの体圧が作用するときには、その作用しているクッションパッド２４からの圧縮弾性反力によって表層弾性布帛２１が身体の被戴承部の起伏に沿って変形し、身体の被戴承部からの体圧が表層弾性布帛２１に分散し易くなるので、長期使用において痛みを感じさせたり褥瘡を誘発することのない弾性身体支持装置品１１が得られる。
【００１９】
本発明において使用のクッションパッド２４は、通気度が１００ｃｃ／ｃｍ2 ・ｓｅｃ以上であり、保水率（ρ）が２００％以下であることから、長時間の使用においてクッション面１８から蒸れを感じることはない。
【００２０】
繊度１００ｄｔｅｘ以上の弾性線条２５が絡み合って立体網状構造を成すクッションパッド２４は、それと嵩密度や質量が同じの樹脂発泡体や繊維積層ウェブに比して比表面積が少なく、クッションパッド２４の内部に大きい空隙を形成することが出来るので、その保水率を低くすることが出来、通気性がよく、蒸れ感を与えない。
そして、繊度１００ｄｔｅｘ以上の弾性線条２５が絡み合って立体網状構造を成すクッションパッド２４では、その構成する弾性線条２５が樹脂発泡体を構成する樹脂セル壁や繊維積層ウェブを構成する繊度３０ｄｔｅｘ以下の合成繊維に比して剛直なことから、表層弾性布帛２１に作用する圧縮弾性反力も強く、起伏のある身体の被戴承部からの体圧が作用するときには、その身体の被戴承部の起伏に沿って表層弾性布帛２１が変形して、体圧分散型の弾性身体支持装置品１１が得られる。
【００２１】
表層弾性布帛２１と下層弾性布帛２２とクッションパッド２４の素材をポリエステル系ポリマーとするときは、弾性身体支持装置品１１の廃棄時に素材を分別する必要がなく、リサイクルし易くなる。
【００２２】
本発明では、弾性布帛２１・２２を張設するフレーム１２の左右両端に蟻溝１３ａ・１３ｂを設けたので、表層弾性布帛２１の端縁１５を向き合うフレーム１２の外側の蟻溝１３ａに差し込んで係止し、フレーム１２の上面を囲撓して向き合うフレーム間１２ａ・１２ｂに表層弾性布帛２１を張設することが出来、下層弾性布帛２２については、その端縁１６を向き合うフレーム１２の内側の蟻溝１３ｂに差し込んで係止することによって向き合うフレーム間１２ａ・１２ｂに張設することが出来、フレームの構造がシンプルなことからデザイン的にも優れた新規な弾性身体支持装置品１１が得られる。
【発明を実施するための最良の形態】
【００２３】
図１は、本発明に係る椅子を図示し、弾性布帛２１・２２を張設するフレーム１２は楕円形断面を成し、その長軸Ｘの左右両端に蟻溝１３ａ・１３ｂが設けられており、その短軸Ｙを中心に左右対称形の２つの半円形空洞１４ａ・１４ｂが長軸Ｙを境に上下対称に設けられている。
表層弾性布帛２１と下層弾性布帛２２の各端縁１５・１６には袋状溝孔が設けられており、フレーム１２の蟻溝１３に差し込んだ端縁の袋状溝孔に軸材１７が挿入され、その袋状溝孔が軸材１７によって膨張して蟻溝内（１３）に密着して内嵌し、表層弾性布帛２１と下層弾性布帛２２の各端縁１５・１６をフレーム１２に確り係止されている。
【００２４】
立体網状構造を成すクッションパッド２４の弾性線条２５は、ゴムやゴム弾性を有するプラスチックによって構成することが出来る。
ゴムによって立体網状構造のクッションパッド２４を形成するためには、その構成する弾性線条２５を未加硫ゴムによって押出成形し、それをカールさせながら堆積して加熱加硫し、立体網状構造に成形する。
その場合、未加硫状態の弾性線条２５の形状を保持し易くするためには、ゴム被覆電線のように繊維糸条を芯材として未加硫ゴムによって弾性線条２５を成形するとよい。
使用するゴムは、天然ゴムでも合成ゴムでもよい。
【００２５】
ゴム弾性プラスチックの弾性線条２５によって立体網状構造のクッションパッド２４を成形するためには、ゴム弾性プラスチックを加熱溶融し、押出成形機のノズルからゴム弾性プラスチックの弾性線条２５を押し出しつつ、それを堆積して冷却固化するとよい。
そうすると、その堆積過程で弾性線条間を融着して所定の形状の立体網状構造のクッションパッド２４が形成される。
ゴム弾性プラスチックには、ポリエーテル系エステルエラストマー、ポリトリメチレンテレフタレートエラストマー、ポリブチレンテレフタレートエラストマー、ポリプロピレンテレフタレートエラストマー、ポリ乳酸エラストマー等のポリエステル系エラストマーを用いるとよい。
【００２６】
クッションパッド２４には、弾性線条２５が絡み合った立体網状構造物の他に、樹脂発泡体や繊維積層ウェブ、ダブルラッシェル立体編地等を使用することが出来る。
その場合、樹脂発泡体や繊維積層ウェブ、ダブルラッシェル立体編地等は、ゴム弾性エラストマーを付与して圧縮弾性強度を高め、撥水剤を付与して保水率を２００％以下に抑えて使用する。
因みに、厚みが３５ｍｍ、縦横の寸法が２００ｍｍの平板な直方体を成し、空隙率が９０％前後の樹脂発泡体（ウレタンフオーム）の保水率は５００％前後であり、繊維間が熱融着した硬綿・樹脂綿と称される繊維積層ウェブの保水率は４００％前後であり、繊度１５００ｄｔｅｘ前後の弾性線条２５が絡み合った立体網状構造物の保水率は１０％前後である。
クッションパッド２４は、これらの資材を組み合わせた複層構造物であってもよいし、これらの資材をメッシュ布帛等に成る袋に裝填した物であってもよい。
従って、保水率が４００％前後の繊維積層ウェブは、その厚みを５ｍｍ前後にし、弾性線条２５が絡み合った立体網状構造物のカバーとしてクッションパッド２４に使用することが出来る。
【００２７】
表裏何れか片面に凹凸のあるクッションパッド２４の厚みＨは、その片面の凸部の頂点から他の片面までの厚みとして測定し、表裏両面に凹凸のあるクッションパッド２４の厚みＨは、その片面の凸部の頂点から他の片面の凸部の頂点までの厚みとして測定する。
【００２８】
数種類の資材をメッシュ布帛等に成る袋に裝填したクッションパッドでは、それを裁断して一辺２０ｃｍの矩形の試験片として採取することは出来ないので、その数種類の資材をメッシュ布帛等に成る袋から一旦取り出し、その取り出されたメッシュ布帛等に成る袋を一辺２０ｃｍの矩形の袋に調製し、取り出された数種類の資材の中のクッションパッドの一辺２０ｃｍの矩形に該当する部分の資材を、その調製された一辺２０ｃｍの矩形の袋に裝填し直して試験用クッションパッドとし、その試験用クッションパッドを試験片として保水率の測定試験に用いる。
【００２９】
ドーナツ形や馬蹄形を成すクッションパッドのように、内側に直径５〜１５ｃｍの内接円を描くことが出来る程度の開口部をあったり、内側に隙間の多いメッシュ部がある等、形状が複雑で一辺２０ｃｍの矩形の試験片を採取することが出来ないクッションパッドでは、それを裁断することなく、そのクッションパッドそれ自体を試験片として保水率の測定試験に用いる。
本発明において、保水率の測定試験に用いる試験片のサイズを一辺２０ｃｍの矩形とするのは、本発明の対象となる身体支持装置品が、クッション面が直径３０ｃｍ〜５０ｃｍの円に納まる座椅子や椅子の他に、クッション面が直径５０ｃｍの円に納まらないソファーやベッドも包含されることから、保水率の測定試験に用いる試験片のサイズを標準化するためである。
ソファーやベッドのようにクッション面が直径５０ｃｍの円に納まらない大型の身体支持装置品では、そのクッションパッドの何れかの部分から一辺２０ｃｍの矩形の試験片を採取すればよい。
【００３０】
本発明において、クッションパッド２４の保水率は、前記の通り、一辺２０ｃｍの矩形の試験片に調製し、その対角線上の角部に吊下用糸を縫い付け、水中に浸漬し、引き上げ６０分経過した時点での試験片の重量を測定して算定されるが、その場合、試験片の厚みは考慮されない。
何故なら、本発明における保水率は、クッションパッド２４に使用する立体網状構造物、樹脂発泡体、繊維積層ウェブ、ダブルラッシェル立体編地等の資材の保水率ではなく、表層弾性布帛２１と下層弾性布帛２２の間の空気層２３に裝填して使用するクッションパッド２４の保水率であり、そのクッションパッド２４の厚みＨや空気層２３の厚みＧは、座椅子、椅子、腰掛け、背凭れ、脚載せ、座席、ソファー、ベッド等の身体支持装置品の種類や仕様によって異なり、又、立体網状構造物、樹脂発泡体、繊維積層ウェブ、ダブルラッシェル立体編地等の資材を組み合わせてクッションパッド２４を構成することが出来、その厚みＨの如何に拘らず、表層弾性布帛２１と下層弾性布帛２２の間の空気層２３に裝填して使用するクッションパッド２４の保水率が２００％以下であれば、その使用目的が達成されるからである。
【００３１】
クッションパッド２４の保水率は低いほどよく、従って、保水率が２０％以下で１０％前後の弾性線条２５が絡み合った低保水率の立体網状構造物を使用してクッションパッド２４の保水率を５０％以下に、好ましくは２０％以下にすることが推奨される。
【００３２】
弾性布帛２１・２２には、破断伸度６０％以上、１５％伸長後の弾性回復率９０％以上、単繊維繊度５０ｄｔｅｘ以上、１０％伸長時の伸長応力０．１ｃＮ／ｄｔｅｘ以上の弾性糸、例えば、単繊維繊度５０〜３０００ｄｔｅｘのポリエーテル系エステル弾性モノフィラメント糸を用いるとよい。
弾性布帛２１・２２には、弾性糸の他にポリエステル繊維、アクリル繊維、ポリプロピレン繊維、ナイロン、ビニロン、レーヨン等の通常の非弾性繊維の紡績糸やマルチフィラメント糸を併用することが出来る。
【００３３】
弾性布帛２１・２２は、弾性糸を使用した織物、緯編地、経編地、緯糸挿入経編地、経糸挿入経編地の何れでもよく、それらは通気度（ＪＩＳ−Ｌ−１０９６Ａ法）５０ｃｃ／ｃｍ2 ・ｓｅｃ以上のポーラスなメッシュ状布帛に織編成する。
【図面の簡単な説明】
【００３４】
【図１】本発明に係る弾性身体支持装置品の一部切截斜視図である。
【符号の説明】
【００３５】
１１：身体支持装置品
１２：フレーム
１３：蟻溝
１４：半円形空洞
１５：端縁
１６：端縁
１７：軸材
１８：クッション面
２１：弾性布帛（表層弾性布帛）
２２：弾性布帛（下層弾性布帛）
２３：空気層
２４：クッションパッド
２５：弾性線条
Ｇ  ：表層弾性布帛と下層弾性布帛の間の距離（空気層厚み）
Ｈ  ：クッションパッドの厚み
Ｘ  ：短軸
Ｙ  ：長軸
【図１】
0005099325.tif 000002